(57)【要約】【課題】調質圧延工程等において循環使用されている圧延油中に含まれる異物やバクテリア等を効率よく除去することができる圧延油の浄化装置を提供すること。【解決手段】圧延油を回収するダーティタンク１に、回収された圧延油を異物と液相分に分離する遠心分離機３を取り付け、この遠心分離機３で分離した液相分をダーティタンク１に戻す配管５の出口側に抗菌剤を担持させたフィルター１０と、消泡用シャワーリング装置１１を設けた。なおフィルター１０は、多孔質セラミックス体に無機銀系抗菌剤を担持させたものとすることができる。【選択図】　　　図１
2004019897.tif 000002
【特許請求の範囲】
【請求項１】
圧延油を回収するダーティタンクに、回収された圧延油を異物と液相分に分離する遠心分離機を取り付け、この遠心分離機で分離した液相分をダーティタンクに戻す配管の出口側に抗菌剤を担持させたフィルターと、消泡用シャワーリング装置を設けたことを特徴とする圧延油の浄化装置。
【請求項２】
フィルターは、多孔質セラミックス体に無機銀系抗菌剤を担持させたものである請求項１に記載の圧延油の浄化装置。
【請求項３】
フィルターは、板形状の多孔質セラミックス体上に球形状の多孔質セラミックス体を多数充填したものである請求項１または２に記載の圧延油の浄化装置。
【発明の詳細な説明】
【０００１】
【発明の属する技術分野】
本発明は、調質圧延工程等において循環使用されている圧延油中に含まれる異物やバクテリア等を効率よく除去することができる圧延油の浄化装置に関するものである。
【０００２】
【従来の技術】
例えば、調質圧延等の冷間圧延工程においては、冷却および潤滑のために多量の圧延油が使用されているが、この圧延油は使用量が多いこと、および高価である等の理由により、クローズドシステムで濾過処理を行いながら循環使用するのが普通である。この場合、長期間使用した圧延油中には圧延の際に発生する金属の微粉や、スカムと称される有機化合物が経時的に酸化等して生じる異物等が含まれるため、例えば特開平９−３１４８６号公報にあるように、遠心分離機を用いて異物を除去することが行われている。
【０００３】
しかしながら、本発明者の研究によれば、循環使用した圧延油中には前記異物だけでなく、各種バクテリア等も大量に発生しており、これが圧延油を汚して圧延性能を低下させる要因になっていることを見出した。また、遠心分離機で分離した液相分をダーティタンクに戻した際、タンク内に大量の泡が発生してタンクから圧延油が溢れ出てしまい処理効率を低下させる要因になっていることを見出した。即ち、本発明者の研究によれば、調質圧延は最終圧延工程であるため製品表面に防錆剤を塗布しているが、この防錆剤を表面全体に塗布する目的で界面活性剤を混入しており、これが遠心分離機で分離した液相分に含まれていて、この液相分をダーティタンクに戻した際にタンク内に大量の泡が発生することを解明した。
従って、異物の除去に加えて更にバクテリア等の除去も的確に行うことができ、更にはダーティタンクにおける泡の発生も防止することができる新たな浄化装置の開発が必要となってきた。
【０００４】
【発明が解決しようとする課題】
本発明は上記のような従来の問題点を解決して、循環使用されている圧延油中に含まれる異物に加えてバクテリア等も的確に除去することができ、またダーティタンクにおける泡の発生も防止して効率よく浄化処理を行うことができる圧延油の浄化装置を提供することを目的として完成されたものである。
【０００５】
【課題を解決するための手段】
上記の課題を解決するためになされた本発明の圧延油の浄化装置は、圧延油を回収するダーティタンクに、回収された圧延油を異物と液相分に分離する遠心分離機を取り付け、この遠心分離機で分離した液相分をダーティタンクに戻す配管の出口側に抗菌剤を担持させたフィルターと、消泡用シャワーリング装置を設けたことを特徴とするものである。
なお前記フィルターは、多孔質セラミックス体に無機銀系抗菌剤を担持させたものが好ましく、これを請求項２に係る発明とする。またフィルターとして、板形状の多孔質セラミックス体上に球形状の多孔質セラミックス体を多数充填したものとすることもでき、これを請求項３に係る発明とする。
【０００６】
【発明の実施の形態】
以下に、図面を参照しつつ本発明の好ましい実施の形態を示す。
図１は、製鉄工場における調質圧延で使用される圧延油を、クローズドシステムで浄化処理を行いながら循環使用する浄化装置の概略を示すもので、図中１は圧延油を回収するためのダーティタンク、２はダーティタンク１の後段に連結したクリーンタンク、３は回収された圧延油を異物と液相分に分離するための遠心分離機、４はポンプであり、以上の構成は従来の圧延油の浄化装置と基本的に同じである。
【０００７】
そして本発明では、前記遠心分離機３で分離した液相分をダーティタンク１に戻す配管５の出口側に抗菌剤を担持させたフィルター１０と、消泡用シャワーリング装置１１を設けたものとなっている。
このような構成とすることで、遠心分離して得られた清浄液中のバクテリアを前記フィルター１０の通過により死滅させ、圧延油の汚れを防止するのである。また、消泡用シャワーリング装置１１によりタンク内に発生した大量の泡を消し、タンクから圧延油が溢れ出るのを防止するのである。
【０００８】
前記フィルター１０としては、多孔質セラミックス体に無機銀系抗菌剤を焼き付けにより担持させたものを用いることができる。多孔質のセラミックス体とするのは圧延油との接触面積を増加させるとともに、抗菌剤の担持量を増加させるためである。また、抗菌剤としては強い抗菌性を発揮する銀系のもの（例えば、（ＡｇＬｉ）７Ａｌ２Ｔｉ８（ＰＯ４）１５）が好ましい。
圧延油を、このような銀系の抗菌剤を担持させたフィルター１０を通過させると、殺菌能力のあるＡｇイオンと接触して圧延油中のバクテリアが死滅し、あるいは繁殖が抑制され、バクテリアの繁殖による汚れ発生が確実に防止されることとなる。また、抗菌剤は消臭能力も有するため、循環使用している間に圧延油から異臭を発することも同時に防止することができる。
【０００９】
なお、前記多孔質セラミックス体は、加工性に優れているため、板形状や球形状等、任意の形状に加工することが可能であり、使用する環境条件等に応じ最適形状に加工して用いることができる。
本発明では、図２に示されるように、抗菌剤を担持させたフィルター１０として、板形状の多孔質セラミックス体１０ａ上に、球形状の多孔質セラミックス体１０ｂを多数充填したものとしてある。図示のものでは、板形状の多孔質セラミックス体１０ａとして、１００×１００×１０（ｍｍ）の板体、球形状の多孔質セラミックス体１０ｂとして粒径約１０（ｍｍ）の球体を用いた。このような板体と球体を組み合わせたフィルターとすることで、優れた抗菌性を発揮するとともに、圧延油の分散流下による円滑な通過およびタンク液面で泡が発生するのを抑制することができる。
なお、このような抗菌剤を担持させたフィルター１０について、大腸菌、黄色ブドウ球菌、緑濃菌、サルモネラ菌、黒カビの各種バクテリアに対する抗菌力テストを行った結果、優れた抗菌力を有することが確認された。
【００１０】
一方、前記消泡用シャワーリング装置１１としては、通常のパイプ式シャワーを用いることができる。このシャワーリング装置１１よりタンク液面に向けて散布することで、液面に浮遊している泡を効率よく消すことができ、従って泡により液面が上昇することがなくタンクから圧延油が溢れ出ることがなくなる。
なお、タンク液面における泡の発生については、調質圧延以外の冷間圧延では大きな問題ではなかったが、特に調質圧延の圧延油の場合は界面活性剤の混入により泡の発生量が多く問題となる。従って、この界面活性剤の混入に起因する泡を消すにはシャワーリングが最適であり、しかも図１に示されるように、ダーティタンク１内の圧延油を循環使用することでランニングコストの低減も図ることができる。
【００１１】
このように本発明は、圧延油を回収するダーティタンク１に、回収された圧延油を異物と液相分に分離する遠心分離機３を取り付け、この遠心分離機３で分離した液相分をダーティタンク１に戻す配管５の出口側に抗菌剤を担持させたフィルター１０と、消泡用シャワーリング装置１１を設けたものとしたので、ダーティタンク１に回収された圧延油は先ず遠心分離機３により異物と液相分とに分離されることとなる。
次いで、分離した液相分はダーティタンク１に戻されるが、配管５の出口側には抗菌剤を担持させたフィルター１０が設けられているので、抗菌および消臭処理が施されてからダーティタンク１に戻されることとなる。しかも、消泡用シャワーリング装置１１を設けてあるため、タンク液面に生じた泡も簡単に消泡され、タンクから圧延油が溢れ出ることも確実に防止されることとなる。
次いで、浄化処理された圧延油はクリーンタンク２へ移されて、ここでフィルター等を用いて更にキメの細かい浄化処理が施され、その後、再び調質圧延工程へ返送され使用に供されることとなる。この場合、循環使用する圧延油は異物の除去に加えて各種バクテリア等も的確に除去されているため、長期間使用してもバクテリアの繁殖による汚れが発生せず高い品質を維持できることとなる。
【００１２】
【発明の効果】
以上の説明からも明らかなように、本発明は循環使用されている圧延油中に含まれる異物を除去することができるのは勿論のこと、圧延油中に含まれる各種バクテリア等も的確に除去することができて、圧延油を長期間にわたりクリーンな状態で継続使用することができ、またタンク内に大量の泡が発生するのも防止して効率よく浄化処理を行うことができるものである。更には、遠心分離機をタンクの外に取り付けてあるため、メンテナンスを容易に行えるという利点もある。よって本発明は従来の問題点を一掃した圧延油の浄化装置として、産業の発展に寄与するところは極めて大である。
【図面の簡単な説明】
【図１】本発明の実施の形態を示す正面図である。
【図２】本発明の実施の形態を示す要部の正面図である。
【符号の説明】
１　ダーティタンク
３　遠心分離機
５　配管
１０　フィルター
１０ａ　板形状の多孔質セラミックス体
１０ｂ　球形状の多孔質セラミックス体
１１　消泡用シャワーリング装置
【図１】
2004019897.tif 000003
【図２】
2004019897.tif 000004